(57)【要約】      （修正有）【課題】防水構造を有する電池モジュールを提供する。【解決手段】電池モジュールは、電池装置２１０及び袋状防水構造２００を含む。袋状防水構造は、防水可撓層からなり、電池装置を収容する。袋状防水構造は、長方体を形成し、前記長方体の一側辺に長軸方向へ沿って長方形状開口部が設けられ、且つ前記長方状開口部は密封後に線状封止部２２２を形成する。【選択図】図２Ｂ
0003189996.tif 000002
【実用新案登録請求の範囲】
【請求項１】
電池モジュールにおいて、
相互に直列又は並列に電気的に接続される複数の素電池と、前記素電池に電気的に接続される複数の電圧線と、を含む電池装置と、
防水可撓性層からなり、前記電池装置を収容する袋状防水構造と、を含み、
前記防水構造は、長方体を形成し、前記長方体は、長軸方向を有し、且つ前記長方体の一側辺に前記長軸方向に沿って長方形状開口部を設け、又前記長方形状開口部は封止されて線状封止部を形成することを特徴とする電池モジュール。
【請求項２】
前記長方形状開口部は、熱プレス加工により前記線状封止部を形成することを特徴とする請求項１記載の電池モジュール。
【請求項３】
前記長方形状開口部は、ファスナー密封により前記線状封止部を形成することを特徴とする請求項１記載の電池モジュール。
【請求項４】
前記袋状防水構造の内部は真空状態を呈することを特徴とする請求項１記載の電池モジュール。
【請求項５】
前記防水可撓層は、静電気防止材質であることを特徴とする請求項１記載の電池モジュール。
【請求項６】
前記長方形状開口部は、粘着方式により前記線状封止部を形成することを特徴とする請求項１記載の電池モジュール。
【請求項７】
前記長方形状開口部は、折り畳まれた後、粘着方式により、前記線状封止部を形成することを特徴とする請求項６記載の電池モジュール。
【請求項８】
前記袋状防水構造は、更に、貫通孔及びカバー部材を含み、前記電圧線が前記貫通孔を通過して前記袋状防水構造の外部へ延伸し、且つ前記カバー部材が前記貫通孔を封止することにより、前記貫通孔から水が前記袋状防水構造の内部へ侵入することを防止することを特徴とする請求項１から７のいずれか一項に記載の電池モジュール。
【請求項９】
前記電池装置は、更に、コネクタを含み、前記コネクタは前記電池装置の底面に位置し、
前記貫通孔は、前記袋状防水構造の前記電池装置の前記コネクタに対応する部分に設けられることを特徴とする請求項８記載の電池モジュール。
【請求項１０】
前記袋状防水構造は、更に、ワイヤガイド構造を含み、前記ワイヤガイド構造は、前記貫通孔に設置され、前記電圧線を前記貫通孔から前記袋状防水構造の外部へガイドすることを特徴とする請求項８記載の電池モジュール。
【請求項１１】
前記電圧線は、前記ワイヤガイド構造に密着して配置されることを特徴とする請求項１０記載の電池モジュール。
【請求項１２】
前記カバー部材は、前記ワイヤガイド構造を完全に覆うことを特徴とする請求項１０記載の電池モジュール。
【請求項１３】
前記ワイヤガイド構造の一部は、前記カバー部材から突出していることを特徴とする請求項１０記載の電池モジュール。
【請求項１４】
前記電池モジュールは更に、ケースを含み、前記電池装置及び前記袋状防水構造を収容し、且つ、前記ケースの底面に出水口を設け、前記ケース内部の水を重力により前記出水口から前記ケース外部へ流出させることを特徴とする請求項１０記載の電池モジュール。
【考案の詳細な説明】
【技術分野】
【０００１】
本考案は、電池モジュールに関し、特に、防水構造を有する電池モジュールに関する。  
【背景技術】
【０００２】
交通運輸車両は、科学技術の進歩に従い、自動車、オートバイの燃料としてのガソリンが、燃料として天然ガスへ進歩し、自動車、オートバイの動力を供給して、自動車、オートバイを作動する。そして、自転車は従来の人力を機械で動かす動力として、自転車を作動する。当然、燃料原料が、次第に減少し、価格が次第に上昇し、又、環境保護意識の高まりとともに、電動自転車、電動オートバイ、ハイブリット自動車などの交通手段が発展してきた。
【０００３】
交通運輸車両の発展、及びクリーンエネルギー産業が電力交通運輸車両を重視するのに伴い、交通運輸車両に電力を提供する電池モジュールは重要な素子となった。しかし、湿度が高い地域では、電子装置又は電池の寿命が短く、特に、交通運輸車両に適用される電池モジュールは、作動中に、雨が降ったり水がたまったりして、電池モジュールへ水が浸入すると、非常に重大な損害が発生する恐れがある。
【０００４】
図1は、従来技術の防水構造を有する電池モジュールの概略図である。図1が示す構造は、日本特開平8-298103号特許の電池モジュールの防水構造である。図1に示すように、電池モジュール１００は、ケース１１１、上部カバー１１２、防水プラスチックフィルム１２０及び複数の素電池１３０を含む。防水プラスチックフィルム１２０及び複数の素電池１３０は、ケース１１１及び上部カバー１１２からなる収容空間内に収容される。ケース１１１の上方に開口を形成し、前記素電子１３０がケース１１１内に収容され、防水プラスチックフィルム１２０はケース１１１の側壁に設けられ、広げられた状態で、前記開孔を覆蓋する。ケース１１１と防水プラスチックフィルム１２０は一体的に素電池１３０をケース１１１内に封止することにより、電池モジュール１００内に水が浸入することを防止し、最後に上部カバー１１２がケース１１１上を覆う。
【先行技術文献】
【特許文献】
【０００５】
【特許文献１】・・・日本特開平8-298103号公報  しかし、従来の防水構造は、尚、改善の余地がある。従って、水滴や粉塵が電池モジュールへ侵入して電池モジュールの作動や寿命に影響することを如何に防止するかが、目下、検討する課題である。
【考案の概要】
【考案が解決しようとする課題】
【０００６】
本考案の実施例の目的は、防水構造を有する電池モジュールを提供することである。
【課題を解決するための手段】
【０００７】
本考案の実施例に基づき、防水構造を有する電池モジュールを提供する。電池モジュールは、電池装置及び袋状防水構造を含む。電池装置は、複数の素電池及び複数の電圧線を含む。前記素電池は相互に直列又は並列に電気的に接続され、前記電圧線は、前記素電池に電気的に接続される。袋状防水構造は、防水可撓層からなり、電池装置を収容する。且つ、袋状防水構造は、長方体を形成し、前記長方体は長軸方向を有し、且つ前記長方体の一側辺に前記長軸方向へ沿って長方形状の開口部が設けられ、且つ前記長方形状開口部は封止後に線状封止部を形成する。
【０００８】
実施例において、長方形状開口部は熱プレス加工により線状封止部を形成する。
【０００９】
実施例において、長方形状開口部は、ファスナー密封により線状封止部を形成する。
【００１０】
実施例において、袋状防水構造の内部は真空状態を呈する。
【００１１】
実施例において、防水可撓層は、静電気防止材質である。
【００１２】
実施例において、長方形状開口部は、粘着方式により線状封止部を形成する。好ましくは、長方形状開口部は、折り畳まれた後、粘着方式により、線状封止部を形成する。
【００１３】
実施例において、袋状防水構造は、更に、貫通孔及びカバー部材を含み、前記電圧線が貫通孔を通過して袋状防水構造の外部へ延伸し、且つカバー部材が貫通孔を封止することにより、貫通孔から水が袋状防水構造の内部へ侵入することを防止する。
【００１４】
実施例において、電池装置は、更に、コネクタを含み、コネクタは電池装置の底面に位置する。貫通孔は、袋状防水構造の電池装置のコネクタに対応する部分に設けられる。
【００１５】
実施例において、袋状防水構造は、更に、ワイヤガイド構造を含み、貫通孔に設置され、ワイヤガイド構造は前記電圧線を貫通孔から袋状防水構造の外部へガイドする。前記電圧線はワイヤガイド構造に密着して配置されることが、好ましい。実施例において、カバー部材はワイヤガイド構造を完全に覆うことができる。そして、別の実施例において、ワイヤガイド構造の一部はカバー部材から突出している。
【００１６】
実施例において、電池モジュールは更に、ケースを含み、電池装置及び袋状防水構造を収容する。且つ、ケースの底面に出水口を設け、ケース内部の水を重力により出水口からケース外部へ流出させる。
【００１７】
本考案の実施例によれば、袋状防水構造２２０は、袋状を形成し、且つ可撓性材質であり、組み立ては、非常に簡便であり、製造コストが低い。長方形状開口部２２１は、袋状防水構造２２０の前記長軸方向Ｄに沿った一側辺に位置し、開口を広げることができ、電池装置２１０が容易に長方形状開口部２２１を通過することができ、組立作業時間が削減できる。
【００１８】
本考案のその他の目的と長所は、本考案に開示された技術特徴により更に理解できる。本考案の上記及びその他の目的、特徴及び長所を更に理解するために、以下において、実施例と図面を合わせて詳細に説明する。
【図面の簡単な説明】
【００１９】
【図１】図１は、従来の防水構造を有する電池モジュールの概略図である。
【図２Ａ】図２Ａは、本考案の実施例の封止する前の防水構造を有する電池モジュールの概略図である。
【図２Ｂ】図２Ｂは、図２Ａ実施例の封止後の防水構造を有する電池モジュールの概略図である。
【図３】図３は、本考案の実施例の電池モジュールの側面図である。
【考案を実施するための形態】
【００２０】
図２Ａは、本考案の実施例の封止前の防水構造を有する電池モジュールの概略図である。図２Ｂは、図２Ａ実施例の封止後の防水構造を有する電池モジュールの概略図である。図２Ａ及び図２Ｂに示すように、電池モジュール２００は、電池装置２１０及び袋状防水構造２２０を含む。
＜実施例＞
【００２１】
電池装置２１０は、複数の素電池２１１及び複数の電圧線２１２を含む。前記素電池２１１は相互に直列又は並列に電気的に接続され、前記電圧線２１２は電気的に前記素電池２１１に接続される（図２Ａ及び図２Ｂにおいて、簡略化、明確化のため前記接続部を省略する）。袋状防水構造２２０は、防水可撓層から構成され、電池装置２１０を収容する。又、袋状防水構造２２０は、長方体を形成する。前記長方体は、長軸方向Ｄを有し、且つ図２Ａに示すように、前記長方体の一側辺に前記長軸方向Ｄに沿って長方形状開口部２２１が設けられ、且つ、長方形状開口部２１１は、封止後に、図２Ｂに示すように線状封止部２２２を形成する。
【００２２】
特に、本考案において、長方形状開口部２２１を封止後に線状封止部２２２のように形成する方法を制限しない。現在知られている及び将来開発される封止方法を利用して、線状封止部２２２を形成することができる。実施例において、長方形状開口部２２１は、熱プレス加工により線状封止部２２２を形成することができる。実施例において、長方形状開口部２２１は、ファスナー密封により線状封止部２２２を形成する。実施例において、長方形状開口部２２１は、粘着により、線状封止部２２２を形成する。長方形状開口部２２１は、折り曲げられた後、折り曲げ部（図示せず）を形成し、折り曲げ部上に粘着剤を塗布し、かつ粘着方式により線状封止部２２２を形成することが好ましい。
【００２３】
更に、袋状防水構造２２０中に水分が残留することを防ぐために、又は、素電池２１１が酸化するのを防止するために、長方形状開口部２２１の一部を封止した後、その別の一部に小通し穴を設け、更に、袋状防水構造２２０に対し真空処理を行い、前記小通し穴を封止して線状封止部２２２を形成することにより、袋状防水構造２２２の内部を真空状態にする。実施例において、窒素を袋状防水構造２２０内部に注入する工程を行ってもよく、水分が袋状防水構造２２０内に残留することを防止する。又は、素電池２１１が酸化することを防止する。
【００２４】
図３は、本考案の実施例の電池モジュールの側面図である。図２Ａ、図２Ｂ及び図３を参照すると、図２Ａ、図２Ｂ及び図３に示すように、袋状防水構造２２０は更に貫通孔２４１及びカバー部材２４２を含む。実施例において、袋状防水構造２２０は更に、ワイヤガイド構造３１２を含む。ワイヤガイド構造３１２は、貫通孔２４１に設置され、ワイヤガイド構造３１２は、水漏れがしないように貫通孔２４１が設けられた防水可撓層の接触部と密接結合又は密着して設置され、ワイヤガイド構造３１２は、前記電圧線２１２をワイヤガイド構造３１２及び貫通孔２４１に通し、又、貫通孔２４１から袋状防水構造２２０の外部へ延伸するようにガイドする。水漏れしないように、前記電圧線２１２は、ワイヤガイド構造３１２と密接して配置されることが好ましい。実施例において、カバー部材２４２はワイヤガイド構造３１２を完全に被覆することができる。別の実施例において、ワイヤガイド構造３１２の一部がカバー部材２４２から突出する。カバー部材２４２がワイヤガイド構造３１２又は貫通孔２４１の穴又は穴の隙間を塞ぐことにより、袋状防水構造２２０に水が浸入しなければよく、本考案はカバー部材２４２がワイヤガイド構造３１２又は貫通孔２４２を如何に覆蓋するかについて制限しない。
【００２５】
更に、本考案の実施例において、袋状防水構造２２０はまた、ワイヤガイド構造３１２を含まなくてもよい。この場合、前記電圧線２１２は直接貫通孔２４１を通過した後、袋状防水構造２２０の外部へ延伸する。ワイヤガイド構造３１２を設置する長所は、電圧線２１２を通過する過程において、防水可撓層が引っ張られて貫通孔２４１が大きくなり、浸水の可能性が増加し、防水が困難になるのを防止できることである。本実施例において、カバー部材２４２は、防水接着剤であってもよく、直接防水接着剤のカバー部材２４２で貫通孔２４１を密封することにより、貫通孔２４１から袋状防水構造２２０の内部へ水が浸入することを防ぐとともに、貫通孔２４１が裂けて大きくなるのを防ぐことができる。実施例において、防水可撓層を割いて貫通孔２４１を形成した後、電圧線２１２を引き出して防水接着剤で密閉してカバー部材２４２にすることにより、ワイヤガイド構造３１２を取付ける工程及び部材のコストを減少することができる。
【００２６】
図３に示すように、電池装置２１０は、更に、コネクタ３１１を含み、コネクタ３１１は電池装置の底面に位置する。貫通孔２４１は袋状防水構造２２０上の電池装置２１０のコネクタ３１１に対応する部分に設けられ、貫通孔２４１の位置をコネクタ３１１の位置に対応させることにより、前記電圧線２１２が袋状防水構造２２０の内部から袋状防水構造２２０の外部へ延伸し、更に、カバー３１０のコネクタ３４１へ延伸することができる（以下で述べる）。
【００２７】
実施例において、電池モジュールは更に、ケース３１０及びコネクタ３４１を含み、ケース３１０は電池装置２１０及び袋状防水構造２２０を収容する。且つ、ケース３１０の底面に出水口３４２を設けて、重力によりケース内部の水を出水口３４２からケース３１０外部へ流出させる。コネクタ３４１はケース３１０の側面に設けてもよい。
【産業上の利用可能性】
【００２８】
以上により、本考案の実施例において、袋状防水構造２２０は、袋状を形成し、且つ可撓性材質であり、組立が非常に簡便であり製造コストが低い。長方形状開口部２２１は袋状防水構造２２０の前記長軸方向Ｄに沿った側辺に位置し、開口は広げることができ、電池装置２１０が長方形状開口部２２１を容易に通過することができ、組み立て時間が削減できる。
【００２９】
本考案は、上記のように実施例を開示したが、本考案を制限するものではなく、如何なる当業者が本考案の本質及び範囲を逸脱しない限り、変更や修飾を行うことができる。よって、本考案の保護範囲は、以下の実用新案登録請求の範囲を基準とする。この他、本考案の如何なる実施例又は登録請求の範囲は、本考案に記載された目的又は長所又は特徴を全て達成させなくてもよい。この他、要約や考案名称は、特許文献検索の補助として用いるものであり、本考案の権利範囲を制限するものではない。
【符号の説明】
【００３０】
１００   電池モジュール
１１１   ケース
１１２   上部カバー
１２０   防水プラスチックフィルム
１３０   素電池
２００   電池モジュール
２１０   電池装置
２１１   素電池
２１２   電圧線
２２０   袋状防水構造
２２１   長方形状開口部
２２２   線状封止部
２４１   貫通孔
２４２   カバー部材
３１０   ケース
３１１   コネクタ
３１２   ワイヤガイド構造
３４１   コネクタ
３４２   出水口
【図１】
0003189996.tif 000003
【図２Ａ】
0003189996.tif 000004
【図２Ｂ】
0003189996.tif 000005
【図３】
0003189996.tif 000006